(57)【要約】【課題】送信電力制御によらず、ＯＦＤＭＡによる受信信号の受信レベルを好適に制御すること。【解決手段】ＯＦＤＭＡ方式に基づき移動局と通信する基地局１２において、受信信号に対する利得を決定する受信利得決定部４２と、受信利得決定部４２により決定された利得に応じて、受信信号の受信レベルを制御するＡＧＣアンプ２４と、ＡＧＣアンプ２４により制御された受信レベルを示すＲＳＳＩをサブチャネルごとに検出するＲＳＳＩ検出部３２と、受信信号の復調に要する受信レベルの範囲を示す復調可能レンジをサブチャネルごとに取得するとともに、ＲＳＳＩ検出部３２により検出された各ＲＳＳＩが復調可能レンジ内にあるか否かを判定するＲＳＳＩ判定部４０と、を含む。受信利得決定部４２は、ＲＳＳＩ検出部３２により検出されたＲＳＳＩのうち最大のＲＳＳＩと、その最大のＲＳＳＩが検出されたサブチャネルの復調可能レンジとに基づいて、利得を決定する。【選択図】図２
2010199939.tif 000002
【特許請求の範囲】
【請求項１】
直交周波数分割多元接続方式に基づく複数のサブチャネルを用いて、複数の通信装置それぞれから送信される信号を受信するＯＦＤＭＡ受信装置であって、
前記受信された信号に対する利得を決定する受信利得決定手段と、
前記受信利得決定手段により決定された利得に応じて、前記受信された信号の受信レベルを制御する受信レベル制御手段と、
前記受信レベル制御手段により制御された受信レベルのうち、全サブチャネルの受信レベルである第一の受信レベルを検出する第一受信レベル検出手段と、
前記第一受信レベル検出手段により検出された第一の受信レベルが前記ＯＦＤＭＡ受信装置の受信レベルの範囲である第一復調可能レンジ内にあるか否かを判定する第一受信レベル判定手段と、
を含み、
前記受信利得決定手段は、前記第一受信レベル検出手段により検出された第一受信レベルが、前記復調可能レンジより高い場合には、前記利得を下げる、
ことを特徴とするＯＦＤＭＡ受信装置。
【請求項２】
請求項１に記載のＯＦＤＭＡ受信装置において、
前記受信レベル制御手段により制御された受信レベルのうち、各サブチャネル毎の受信レベルである第二の受信レベルを検出する第二受信レベル検出手段と、
前記第二受信レベル検出手段により検出された第二の受信レベルが前記ＯＦＤＭＡ受信装置の各サブチャネル毎の変調方式に応じた受信レベルの範囲である第二復調可能レンジ内にあるか否かを判定する第二受信レベル判定手段と、
を含み、
前記第二の受信レベルが前記第二復調可能レンジ内よりも高い場合には当該サブチャネルの変調方式を所要受信レベルがより高い変調方式に変更するよう送信装置に対し指示する、
ことを特徴とするＯＦＤＭＡ受信装置。
【請求項３】
請求項１または２に記載のＯＦＤＭＡ受信装置において、
前記第一の受信レベルは、各サブキャリア毎の受信レベルと使用サブキャリア数により算出される、
ことを特徴とするＯＦＤＭＡ受信装置。
【請求項４】
直交周波数分割多元接続方式に基づく複数のサブチャネルを用いて、複数の通信装置それぞれから送信される信号を受信するＯＦＤＭＡ受信方法であって、
前記受信された信号に対する利得を決定する受信利得決定ステップと、
前記受信利得決定ステップにより決定された利得に応じて、前記受信された信号の受信レベルを制御する受信レベル制御ステップと、
前記受信レベル制御ステップにより制御された受信レベルのうち、全サブチャネルの受信レベルである第一の受信レベルを検出する第一受信レベル検出ステップと、
前記第一受信レベル検出ステップにより検出された第一の受信レベルが前記ＯＦＤＭＡ受信装置の受信レベルの範囲である第一復調可能レンジ内にあるか否かを判定する第一受信レベル判定ステップと、
を含み、
前記受信利得決定ステップは、前記第一受信レベル検出ステップにより検出された第一受信レベルが、前記復調可能レンジより高い場合には、前記利得を下げる、
ことを特徴とするＯＦＤＭＡ受信方法。
【発明の詳細な説明】
【技術分野】
【０００１】
本発明は、ＯＦＤＭＡ受信装置およびＯＦＤＭＡ受信方法に関し、特に、ＯＦＤＭＡによる受信信号の受信レベルを制御する技術に関する。
【背景技術】
【０００２】
無線受信装置では、受信レベルがその受信回路構成で決まるダイナミックレンジ（以下「受信ダイナミックレンジ」という。）内にある受信信号だけが正しく復調される。このため、無線受信装置の中には、受信レベルが受信ダイナミックレンジ内に維持されるよう、チャネルごとに受信レベルを制御しているものがある。
【０００３】
この点、所定の周波数帯域内で複数のサブチャネルを用いて通信を行うＯＦＤＭＡ（Orthogonal Frequency Division Multiple Access：直交周波数分割多元接続）では、１サブチャネルを構成するサブキャリア（副搬送波）の数や周波数が可変であるため、サブチャネルごとにアナログフィルタを適用することが難しい。このため、ＡＧＣ（Automatic Gain Control：自動利得制御）では、サブチャネルごとに受信レベルを制御することができず、受信帯域全域で一律に変更することになり、それまで通信可能であったサブチャネルがＡＧＣによって通信不可能となってしまう場合がある。
【０００４】
たとえば、図７は、３台の移動局（ＰＳ＃Ａ〜Ｃ）それぞれから送信される無線信号の基地局における受信レベルを示す図である。同図（Ａ）に示すように、移動局ＰＳ＃Ｃの受信レベルは基地局の受信ダイナミックレンジを超えており、逆に、移動局ＰＳ＃Ａの受信レベルは受信ダイナミックレンジ内にある。ここで、移動局ＰＳ＃Ｃの受信レベルが受信ダイナミックレンジ内に収まるよう受信信号に対してＡＧＣを適用すると、同図（Ｂ）に示すように、受信帯域全域の受信レベルが一律に低下し、それまで受信ダイナミックレンジ内にあった移動局ＰＳ＃Ａの受信レベルが受信ダイナミックレンジを下回ってしまう場合がある。
【０００５】
こうした問題を回避するため、従来、サブチャネルまたはサブキャリアごとに送信信号の送信レベルを制御する送信電力制御により、各サブチャネルの受信レベルを制御していた（たとえば、特許文献１参照）。
【先行技術文献】
【特許文献】
【０００６】
【特許文献１】特開２０００−３３２７２３号公報
【発明の概要】
【発明が解決しようとする課題】
【０００７】
しかしながら、上記従来の送信電力制御では、送信信号の送信レベルを上げることが規制されている上、逆に送信レベルを下げると送信の際に十分なＣＮＲ（Carrier to Noise
Ratio：搬送波対雑音電力比）を確保することができないという問題があった。
【０００８】
本発明は、上記従来の課題に鑑みてなされたものであり、送信電力制御によらず、ＯＦＤＭＡによる受信信号の受信レベルを好適に制御することができるＯＦＤＭＡ受信装置およびＯＦＤＭＡ受信方法を提供することを目的とする。
【課題を解決するための手段】
【０００９】
上記課題を解決するために、本発明に係るＯＦＤＭＡ受信装置は、直交周波数分割多元接続方式に基づく複数のサブチャネルを用いて、複数の通信装置それぞれから送信される信号を受信するＯＦＤＭＡ受信装置であって、前記受信された信号に対する利得を決定する受信利得決定手段と、前記受信利得決定手段により決定された利得に応じて、前記受信された信号の受信レベルを制御する受信レベル制御手段と、前記受信レベル制御手段により制御された受信レベルのうち、全サブチャネルの受信レベルである第一の受信レベルを検出する第一受信レベル検出手段と、前記第一受信レベル検出手段により検出された第一の受信レベルが前記ＯＦＤＭＡ受信装置の受信レベルの範囲である第一復調可能レンジ内にあるか否かを判定する第一受信レベル判定手段と、を含み、前記受信利得決定手段は、前記第一受信レベル検出手段により検出された第一受信レベルが、前記復調可能レンジより高い場合には、前記利得を下げる、ことを特徴とする。
【００１０】
本発明によれば、ＯＦＤＭＡで通信されている全サブチャネルに渡る受信レベルが検出され、当該受信レベルとＯＦＤＭＡ受信装置の復調可能レンジとを比較することで、その受信レベルが復調可能レンジ内（望ましくは復調可能レンジの上限値付近）となるよう受信信号に対する利得が制御される。このため、受信レベルの高い（ＣＮＲの高い）サブチャネルにおける通信が優先的に維持されるようになる。
【００１１】
また、本発明の一態様では、前記受信レベル制御手段により制御された受信レベルのうち、各サブチャネル毎の受信レベルである第二の受信レベルを検出する第二受信レベル検出手段と、前記第二受信レベル検出手段により検出された第二の受信レベルが前記ＯＦＤＭＡ受信装置の各サブチャネル毎の変調方式に応じた受信レベルの範囲である第二復調可能レンジ内にあるか否かを判定する第二受信レベル判定手段と、を含み、前記第二の受信レベルが前記第二復調可能レンジ内よりも高い場合には当該サブチャネルの変調方式を所要受信レベルがより高い変調方式に変更する、ことを特徴とする。
【００１２】
このことにより、利得制御後の受信レベルと復調可能レンジとに基づいて、受信信号の復調可否がサブチャネルごとに判定されるようになる。こうして本発明では、送信電力制御によらず、ＯＦＤＭＡによる受信信号の受信レベルを好適に制御することができる。
【００１３】
また、前記第一の受信レベルは、各サブキャリア毎の受信レベルと使用サブキャリア数により算出されるとしてもよい。
【００１４】
また、本発明に係るＯＦＤＭＡ受信方法は、直交周波数分割多元接続方式に基づく複数のサブチャネルを用いて、複数の通信装置それぞれから送信される信号を受信するＯＦＤＭＡ受信方法であって、前記受信された信号に対する利得を決定する受信利得決定ステップと、前記受信利得決定ステップにより決定された利得に応じて、前記受信された信号の受信レベルを制御する受信レベル制御ステップと、前記受信レベル制御ステップにより制御された受信レベルのうち、全サブチャネルの受信レベルである第一の受信レベルを検出する第一受信レベル検出ステップと、前記第一受信レベル検出ステップにより検出された第一の受信レベルが前記ＯＦＤＭＡ受信装置の受信レベルの範囲である第一復調可能レンジ内にあるか否かを判定する第一受信レベル判定ステップと、を含み、前記受信利得決定ステップは、前記第一受信レベル検出ステップにより検出された第一受信レベルが、前記復調可能レンジより高い場合には、前記利得を下げる、ことを特徴とする。
【図面の簡単な説明】
【００１５】
【図１】本発明の実施形態に係る移動通信システムの全体構成図である。
【図２】本発明の実施形態に係る基地局の受信機能に係るブロック図である。
【図３】ＲＳＳＩ閾値テーブルの一例を示す図である。
【図４】変調方式別の所要ＣＮＲを示す図である。
【図５】６４ＱＡＭおよびπ/４シフトＱＰＳＫに係る復調可能レンジを示す図である。
【図６】基地局の受信処理の一部を示すフロー図である。
【図７】３台の移動局（ＰＳ＃Ａ〜Ｃ）それぞれから送信される無線信号の基地局における受信レベルを示す図である。
【発明を実施するための形態】
【００１６】
以下、本発明の一実施形態を図面に基づいて詳細に説明する。
【００１７】
図１は、本発明の一実施形態に係る移動通信システム１０の全体構成図である。同図に示すように、移動通信システム１０は、基地局１２と複数の移動局１４（ここでは３つとする。）を含んで構成されている。移動局１４は、たとえば可搬型の携帯電話機、携帯情報端末、またはデータ通信用カードである。
【００１８】
基地局１２は、ＴＤＤ（Time Division Duplex：時分割複信）方式により移動局１４それぞれと無線信号の送受信を行い、またＯＦＤＭＡ（Orthogonal Frequency Division Multiple Access：直交周波数分割多元接続）方式およびＴＤＭＡ（Time Division Multiple Access：時分割多元接続）方式により多重通信を行う。
【００１９】
以下では、無線信号の受信に関し、基地局１２が備える構成および機能についてより詳細に説明する。
【００２０】
図２は、基地局１２の受信機能に係るブロック図である。同図に示すように、基地局１２は、アンテナ２０、受信部２２、ＡＧＣアンプ２４、ＡＤＣ（Ａ／Ｄコンバータ）２６、ＤＡＣ（Ｄ／Ａコンバータ）２８、復調部３０、制御部３４を含んで構成されている。
【００２１】
アンテナ２０は、移動局１４から送信される無線信号を受信し、受信した無線信号を受信部２２に出力する。受信部２２は、アンテナ２０で受信される無線信号をベースバンド信号にダウンコンバートし、さらにシンボル同期、ガードインターバル（Guard Interval）の除去などを行ったベースバンド信号をＡＧＣアンプ２４に出力する。
【００２２】
ＡＧＣアンプ２４は、ＤＡＣ２８から入力される利得制御電圧に応じて、受信部２２から入力されるベースバンド信号の受信レベルを制御（増幅または減衰）する可変利得アンプである。ＤＡＣ２８から入力される利得制御電圧は、後述する受信利得決定部４２により決定される利得に応じた電圧である。
【００２３】
ＡＤＣ２６は、ＡＧＣアンプ２４により利得制御されたベースバンド信号をディジタル信号に変換し、変換されたディジタル信号を復調部３０に出力する。ただし、正常にディジタル変換されるベースバンド信号は、受信レベルがＡＤＣ２６のダイナミックレンジ（ノイズフロアから許容入力レベルまでの範囲）内にある信号に限られる。このダイナミックレンジは、ＡＤＣ２６の有効ビット数（ＥＮＯＢ：Effective Number Of Bits）により決まるＳＮＲ（Signal to Noise Ratio：信号対雑音電力比）であり、たとえば有効ビッ
ト数が１２ｂｉｔのＡＤＣでは７２ｄＢとなる。
【００２４】
復調部３０は、ＡＤＣ２６から入力されるディジタル信号を、高速フーリエ変換（ＦＦＴ：Fast Fourier Transform）により各サブキャリアの位相と振幅を表す複素シンボルのサブキャリア成分に変換する。そして、各サブキャリアの変調方式に応じて、これら複素シンボルを対応するバイナリデータに変換し、変換されたバイナリデータを制御部３４に出力する。
【００２５】
また、復調部３０は、ＡＧＣアンプ２４による利得制御後の受信レベルを検出するＲＳＳＩ検出部３２を含んでいる。ＲＳＳＩ検出部３２は、上記ＦＦＴにより得られた複素シンボルのサブキャリア成分ごとにＲＳＳＩ（Receive Signal Strength Indication：受信信号強度）を検出し、各サブチャネルにおけるサブキャリアの使用数と前記複素シンボルのサブキャリア成分ごとのＲＳＳＩとから、各サブチャネルにおけるＲＳＳＩと受信帯域全体のつまり全サブチャネルに渡るＲＳＳＩを算出する。
【００２６】
制御部３４は、ＣＰＵやメモリなどから構成されるものであり、基地局１２の各部を制御する。また、ＲＳＳＩ閾値テーブル３６、変調方式管理部３８、ＲＳＳＩ判定部４０、受信利得決定部４２、チャネル制御部４４を含み、ＡＧＣアンプ２４の制御、変調方式の変更などを行う。これらの機能は、メモリに記憶される各種制御プログラムをＣＰＵが実行することにより実現される。
【００２７】
ＲＳＳＩ閾値テーブル３６は、変調方式ごとに、所要ＣＮＲおよびその変調方式により変調された信号の復調に要するＲＳＳＩの下限値（ＲＳＳＩ閾値）を記憶している。図３は、ＲＳＳＩ閾値テーブル３６の一例を示す図である。同図における所要ＣＮＲは、変調方式および所望ＢＥＲ（Bit Error Rate：ビット誤り率）に応じて決定される。また、ＲＳＳＩ閾値は、ＡＤＣ２６のダイナミックレンジと変調方式に応じた所要ＣＮＲとに基づいて決定される。以下、ＲＳＳＩ閾値の決定方法について具体的に説明する。
【００２８】
図４は、変調方式別の所要ＣＮＲを示す図である。同図に示すように、所定のＢＥＲを維持するために必要とされるＣＮＲは、シンボルレートの高い変調方式ほど高くなる。また、いずれの変調方式でも、ＢＥＲを低く抑えようとすればするほど高いＣＮＲが必要となる。たとえば、６４ＱＡＭにおいてＢＥＲ＝０．００１％とするために要するＣＮＲは２５．６ｄＢである。これは、６４ＱＡＭで変調された信号のＢＥＲを０．００１％以下とするためには、ノイズフロアから２５．６ｄＢ以上のＲＳＳＩが必要であることを意味している。一方、π/４シフトＱＰＳＫにおいてＢＥＲ＝０．００１％とするために要す
るＣＮＲは１２．９ｄＢである。
【００２９】
また、上記のとおり、受信信号を正しく復調するためには、ＲＳＳＩが少なくともＡＤＣ２６のダイナミックレンジ内になければならない。図２に示すブロック図において、アンテナ２０から復調部３０までの受信ゲインが４０ｄＢであって、ＡＤＣ２６のダイナミックレンジが７２ｄＢ（有効ビット数１２ｂｉｔ）であるとすれば、ＡＤＣ２６により信号が正しくディジタル変換されるＲＳＳＩの範囲（ＡＤＣ使用可能レンジ）は、アンテナ２０入力換算値で（アンテナ２０での入力レベルを０ｄＢｍとして）−１１２〜−４０ｄＢｍとなる。
【００３０】
以上より、受信信号の復調に要するＲＳＳＩの範囲を示す復調可能レンジは、復調可能レンジは、ノイズフロアより所要ＣＮＲだけ高いレベルから、ＡＤＣ２６の許容入力レベルまでとなる。すなわち、ＲＳＳＩ閾値テーブル３６に記憶される各ＲＳＳＩ閾値は、ノイズフロアレベルに各変調方式に応じた所要ＣＮＲを加えた値である。
【００３１】
図５は、アンテナ２０から復調部３０までの受信ゲインが４０ｄＢ、ＡＤＣ２６のダイナミックレンジが７２ｄＢであって、所望ＢＥＲを０．００１％とした場合における、６４ＱＡＭ（Ａ）およびπ/４シフトＱＰＳＫ（Ｂ）に係る復調可能レンジを示す図である。同図（Ａ）に示すように、６４ＱＡＭに係る復調可能レンジは、ＡＤＣ２６のダイナミックレンジ７２ｄＢから所要ＣＮＲ２５．６ｄＢを引いた４６．４ｄＢ（アンテナ２０入力換算値で−８６．４〜−４０ｄＢｍ）であり、ＲＳＳＩ閾値は−８６．４ｄＢｍとなる。また、同図（Ｂ）に示すように、π/４シフトＱＰＳＫに係る復調可能レンジは、５９．１ｄＢ（−９９．１〜−４０ｄＢｍ）、ＲＳＳＩ閾値は−９９．１ｄＢｍとなる。図３に示す他の変調方式についても、同様の方法でＲＳＳＩ閾値が決定される。
【００３２】
変調方式管理部３８は、各サブチャネルに適用されている変調方式を管理するものであ
り、ＲＳＳＩ判定部４０からの要求に応じて、それら各サブチャネルの変調方式をＲＳＳＩ判定部４０に通知する。本移動通信システム１０では、π/４シフトＱＰＳＫ、１６Ｑ
ＡＭ、６４ＱＡＭ、２５６ＱＡＭなどの変調方式が用いられる。
【００３３】
ＲＳＳＩ判定部４０は、ＲＳＳＩ検出部３２により検出された全帯域のＲＳＳＩを受信利得決定部４２に通知する。
【００３４】
また、ＲＳＳＩ判定部４０は、各サブチャネルの変調方式を変調方式管理部３８から取得するとともに、それら各変調方式に応じたＲＳＳＩ閾値をＲＳＳＩ閾値テーブル３６から取得する。そして、サブチャネルごとに、ＲＳＳＩ検出部３２により検出されたＲＳＳＩが復調可能レンジ内（ＲＳＳＩ閾値以上、ＡＤＣ２６の許容入力レベル以下）にあるか否かを判定する。ここで、ＲＳＳＩがＲＳＳＩ閾値を上回るサブチャネルについては、そのＲＳＳＩが復調可能レンジ内となるような、より所要ＣＮＲの高い（シンボルレートの高い）好適な変調方式が存在するか否かをＲＳＳＩ閾値テーブル３６に基づいて判定する。さらに、ＲＳＳＩがＲＳＳＩ閾値を下回るサブチャネルについては、そのＲＳＳＩが復調可能レンジ内となるような、より所要ＣＮＲの低い（シンボルレートの低い）好適な変調方式が存在するか否かをＲＳＳＩ閾値テーブル３６に基づいて判定する。ここで、好適な変調方式が存在すれば当該変調方式およびそのサブチャネルを、存在しなければそのサブチャネルだけを、判定結果としてチャネル制御部４４に通知する。
【００３５】
受信利得決定部４２は、ＲＳＳＩ判定部４０から通知されるＲＳＳＩとＡＤＣ２６の許容入力レベル（復調可能レンジの上限値）とに基づいて、受信部２２から入力されるベースバンド信号のＲＳＳＩを調整するための利得を決定する。このとき、ＲＳＳＩがＡＤＣ２６の許容入力レベルと等しくなるよう、利得を決定することが望ましい。こうすれば、各サブチャネルのＲＳＳＩがそれぞれの復調可能レンジ内で増幅されるため、よりスループットの高い通信を実現できるようになる。こうして決定された利得は、ＤＡＣ２８で利得制御電圧に変換された後、ＡＧＣアンプ２４に入力される。
【００３６】
チャネル制御部４４は、ＲＳＳＩ判定部４０から通知される判定結果に基づき、そのサブチャネルが割り当てられた移動局１４に対し、通知されたサブチャネルの変調方式を変更するか、ハンドオーバを指示する。すなわち、ＲＳＳＩ判定部４０から変調方式およびサブチャネルが通知された場合（よりシンボルレートの高い好適な変調方式か、シンボルレートの低い好適な変調方式が存在する場合）には、該サブチャネルの変調方式を通知された変調方式に変更し、サブチャネルだけが通知された場合には、そのサブチャネルが割り当てられた移動局１４に対してハンドオーバを指示する。
【００３７】
次に、基地局１２の受信処理を図６に基づいて説明する。図６は、基地局１２の受信処理の一部を示すフロー図である。
【００３８】
同図に示すように、無線信号が受信されると、ＲＳＳＩ検出部３２は、ＦＦＴにより得られた複素シンボルのサブキャリア成分ごとにＲＳＳＩを検出する（Ｓ１００）。そして、各サブキャリアのＲＳＳＩとサブキャリア数とから全帯域のＲＳＳＩを算出する（Ｓ１０２）。次に、受信利得決定部４２は、ＡＤＣ２６の許容入力レベルを取得し（Ｓ１０４）、Ｓ１０２で検出された全帯域のＲＳＳＩとＡＤＣ２６の許容入力レベルを比較する（Ｓ１０６）。許容入力レベルより低い場合には、さらに許容入力レベルに全帯域のＲＳＳＩが入るよう利得を決定する。ＡＧＣアンプ２４は、決定された利得に基づき受信部２２から入力されるベースバンド信号の受信レベルを制御する（Ｓ１０８）。
【００３９】
ここでＲＳＳＩ検出部３２は、各サブキャリアのＲＳＳＩとサブキャリア数とから各サブチャネルのＲＳＳＩを検出する（Ｓ１１０）。ＲＳＳＩ判定部４０は、各サブチャネルの変調方式を変調方式管理部３８から取得するとともに、それら各サブチャネルの変調方式に応じたＲＳＳＩ閾値をＲＳＳＩ閾値テーブル３６から取得する。そして、サブチャネルごとに、Ｓ１１０で検出されたＲＳＳＩが，復調可能レンジに対しより上位の変調方式の所要ＳＮＲを満足するか判定する（Ｓ１１２）。
【００４０】
ここで、ＲＳＳＩが復調可能レンジに対しより上位の変調方式の所要ＣＮＲ（ＳＮＲ）を満足しない場合にはそのまま復調処理を行う（Ｓ１２８）。一方、より上位の所要ＣＮＲ（ＳＮＲ）を満足する場合には、そのサブチャネルが割り当てられた移動局１４に対し、通知されたサブチャネルの変調方式を上位の変調方式に変更するよう通知する（Ｓ１１４）。
【００４１】
Ｓ１０６において、Ｓ１０２で検出された全帯域のＲＳＳＩがＡＤＣ２６の許容入力レベルより高い場合には、受信利得決定部４２は、さらに許容入力レベルに全帯域のＲＳＳＩが入るよう利得を決定する（利得を下げる）。ＡＧＣアンプ２４は、決定された利得に基づき受信部２２から入力されるベースバンド信号の受信レベルを制御する（Ｓ１１６）。
【００４２】
ここでＲＳＳＩ検出部３２は、各サブキャリアのＲＳＳＩとサブキャリア数とから各サブチャネル毎のＲＳＳＩを検出する（Ｓ１１８）。ＲＳＳＩ判定部４０は、各サブチャネルの変調方式を変調方式管理部３８から取得するとともに、それら各サブチャネルの変調方式に応じたＲＳＳＩ閾値をＲＳＳＩ閾値テーブル３６から取得する。そして、サブチャネルごとに、Ｓ１１８で検出されたＲＳＳＩが、復調可能レンジの所要ＣＮＲ（ＳＮＲ）を満足するか判定する（Ｓ１２０）。満足する場合には、そのまま復調処理を行う（Ｓ１２８）。
【００４３】
一方、Ｓ１２０において、復調可能レンジの所要ＣＮＲ（ＳＮＲ）を満足していない場合に、ＲＳＳＩ判定部４０は、より下位の変調方式の所要ＣＮＲ（ＳＮＲ）の下限値を満足するかどうかさらに判定する（Ｓ１２２）。ここで、より下位の変調方式の所要ＣＮＲ（ＳＮＲ）を満足していれば下位の変調方式を割当て（Ｓ１２４）、いずれの変調方式の所要ＣＮＲ（ＳＮＲ）の下限値も満足しない場合には、そのサブチャネルが割り当てられた移動局１４に対し、ハンドオーバを指示する（Ｓ１２６）。
【００４４】
以上説明した移動通信システム１０によれば、基地局１２において、受信された信号の受信レベルをＡＧＣアンプ２４により制御するとともに、ＡＤＣ２６のダイナミックレンジと各サブチャネルの変調方式とに基づいて取得される復調可能レンジに応じて、サブチャネルごとに信号の復調可否を判定する。こうして、移動局１４の送信電力制御によることなく、ＯＦＤＭＡによる受信信号の受信
レベルを好適に制御することができる。
【００４５】
なお、本発明は、上記実施形態に限定されるものではなく、種々の変形実施が可能である。
【００４６】
たとえば、上記実施形態では、ＯＦＤＭＡ方式およびＴＤＭＡ／ＴＤＤ方式を採用した移動通信システムに本発明を適用したが、本発明はＯＦＤＭＡ方式を採用する通信システム全般に適用可能である。
【００４７】
また、上記実施形態では、ＡＤＣ２６のダイナミックレンジおよび変調方式に応じた所要ＣＮＲのみに基づいて復調可能レンジを決定したが、受信回路を構成する他の要素にさらに基づいて復調可能レンジを決定してもよい。なお、上記実施形態では、復調可能レンジの上限値が全サブチャネルで同じ（ＡＤＣ２６の許容入力レベル）であったが、復調可能レンジの上限値がサブチャネルによって異なるＯＦＤＭＡ受信装置にも、本発明は適用可能である。
【符号の説明】
【００４８】
１０  移動通信システム、１２  基地局、１４  移動局、２０  アンテナ、２２  受信部、２４  ＡＧＣアンプ、２６  ＡＤＣ（Ａ／Ｄコンバータ）、２８  ＤＡＣ（Ｄ／Ａコンバータ）、３０  復調部、３２  ＲＳＳＩ検出部、３４  制御部、３６  ＲＳＳＩ閾値テーブル、３８  変調方式管理部、４０  ＲＳＳＩ判定部、４２  受信利得決定部、４４
チャネル制御部。
【図１】
2010199939.tif 000003
【図２】
2010199939.tif 000004
【図３】
2010199939.tif 000005
【図４】
2010199939.tif 000006
【図５】
2010199939.tif 000007
【図６】
2010199939.tif 000008
【図７】
2010199939.tif 000009